(57)【特許請求の範囲】
【請求項１】
水平な回転盤の上面に多数のメダルを投入してメダル同士が重ならないように水平の姿勢にしてメダル排出路へ送り出す整列装置を設け、同メダル排出路の先に水平のメダルの上下面を上下から押圧して摩擦と洗浄水でメダルの表面の油脂・ゴミを拭って清掃する吸水性の払拭ローラを設け、洗浄水を貯水する貯水タンクを設け、貯水タンクの洗浄水を回転盤の上面にポンプで吐水するノズルを設け、貯水タンクの洗浄水をメダルの非投入時に少量ノズルへ送り出すようにポンプを作動させる制御手段を設け、メダルの非投入時に吐水した洗浄水を回転盤の遠心力でメダル排出路側の払拭ローラの方向へ飛ばして払拭ローラを湿らせてその後投入されるメダルを湿らせた払拭ローラの少量の洗浄水で清掃できるようにしたことを特徴とする、メダル清掃装置。
【請求項２】
払拭ローラの下流位置にメダルの水滴を吸水する吸水ローラを設けた、請求項１記載のメダル清掃装置。
【請求項３】
払拭ローラと吸水ローラを押圧して吸水した洗浄水を絞り出す絞りローラを設け、絞りローラから落下する洗浄水を貯水タンクに回収する回収路を設けた、請求項２記載のメダル清掃装置。
【発明の詳細な説明】
【技術分野】
【０００１】
本発明は、スロットマシン等の遊技に使用されるメダルの清掃装置に関する。
【背景技術】
【０００２】
従来、メダル洗浄研磨装置が特許文献１で開示されている。この技術は、図３に示すように、上下のブラシ盤２２間にメダルｍを洗浄水Ｗとともに送り込みながら相対回転させ、回転と遠心力によりメダルｍを洗浄研磨しながら円周方向へ移行させて排出する構造を特徴としている。図中、２１はメダル投入口、２３はモータ、２４はメダル排出口、２５は貯水タンク、２６は洗浄水Ｗを送り出すポンプである。
【０００３】
ところで、前記技術は洗浄水Ｗを多量に使用するから洗浄研磨後の乾燥に時間を要するとともに、一旦除去した汚れがブラシ盤２２からメダルｍに移り易く、汚れが付着したまま排出されてしまうことがあった。
【特許文献１】特開２００１−１１３０２５号公報
【発明の開示】
【発明が解決しようとする課題】
【０００４】
本発明が解決しようとする課題は、従来のこれらの問題点を解消し、使用する洗浄水を少量にして乾燥を省略でき、しかも汚れの除去能力に優れるメダル清掃装置を提供することにある。
【課題を解決するための手段】
【０００５】
かかる課題を解決した本発明の構成は、
１）  水平な回転盤の上面に多数のメダルを投入してメダル同士が重ならないように水平の姿勢にしてメダル排出路へ送り出す整列装置を設け、同メダル排出路の先に水平のメダルの上下面を上下から押圧して摩擦と洗浄水でメダルの表面の油脂・ゴミを拭って清掃する吸水性の払拭ローラを設け、洗浄水を貯水する貯水タンクを設け、貯水タンクの洗浄水を回転盤の上面にポンプで吐水するノズルを設け、貯水タンクの洗浄水をメダルの非投入時に少量ノズルへ送り出すようにポンプを作動させる制御手段を設け、メダルの非投入時に吐水した洗浄水を回転盤の遠心力でメダル排出路側の払拭ローラの方向へ飛ばして払拭ローラを湿らせてその後投入されるメダルを湿らせた払拭ローラの少量の洗浄水で清掃できるようにしたことを特徴とする、メダル清掃装置
２）  払拭ローラの下流位置にメダルの水滴を吸水する吸水ローラを設けた、前記１）記載のメダル清掃装置
３）  払拭ローラと吸水ローラを押圧して吸水した洗浄水を絞り出す絞りローラを設け、絞りローラから落下する洗浄水を貯水タンクに回収する回収路を設けた、前記２）記載のメダル清掃装置
にある。
【発明の効果】
【０００６】
本発明によれば、メダルの非投入時に回転盤上に吐水することで洗浄水を必要最低量にして払拭ローラへ給水し、湿らせた一対の払拭ローラでメダルを上下から押圧して摩擦と少量の洗浄水で油脂等の汚れを拭うように清掃して送り出す。したがって、従来のようにメダル投入とともに多量の洗浄水を使用しないから乾燥を省略でき、除去された汚れは洗浄水を含んだ払拭ローラに吸着されてメダルに移り難く、従来技術と比較して清掃能力も高い。
【発明を実施するための最良の形態】
【０００７】
本発明では、払拭ローラ及び吸水ローラとしては、連続気泡を備えた発泡合成樹脂や吸水性の布材を巻き付けたものなど油脂等の拭き取り性に優れたものが用いられる。ポンプとしては、装置の作動直後は払拭ローラに洗浄水が行き渡るまで連続的に送り出し、且つ清掃開始後はメダルの非投入時で且つ必要に応じて間欠的に送り出すことができるようにしたものが用いられる。払拭ローラ及び吸水ローラには硬質の絞りローラを押し当てて吸水した洗浄水を絞り出し、絞りローラから落下する洗浄水を貯水タンクに回収する回収路を設けると、洗浄水を再利用して清掃途中の補水を省略でき、使用する洗浄水も少量に抑えることができる。洗浄水は水又は水に洗浄液を適量混合したものが用いられる。吸水ローラは上下一対を１組として搬送方向に沿って複数組設ければ、吸水がより確実に行える。以下、本発明の実施例を図面に基づいて具体的に説明する。
【実施例１】
【０００８】
図１に示す実施例１は、メダル整列装置を組み合わせたメダル清掃装置の例である。図１は実施例１のメダルの整列を示すメダル清掃装置の縦断面図である。図中、１６は回転盤である。実施例１のメダル清掃装置１は、図１に示すようにメダル投入口２からランダムに投入された多数のメダルｍをメダルｍ同士が重ならないように水平の姿勢にしてメダル排出路５ａへ送り出す回転盤１６を設けている。メダル排出路５ａはメダルｍを複列に搬送できるように仕切り（図示せず）を設けてもよい。
本実施例のメダル整列装置は、上部にすり鉢状のメダル投入口２と、回転盤１６と、同回転盤を回動するモータ９・駆動ローラ９ａ・駆動ベルト１０・回転軸８・従動ローラ８ａの駆動部と、メダル排出路５ａから構成されている。
【０００９】
図中、１はメダル清掃装置、２はメダル投入口、５は筒体、５ａはメダル排出路、５ｂは排水孔、６はメダル搬送路、７はメダル排出口、８は回転軸、８ａは従動ローラ、９はモータ、９ａは駆動ローラ、１０は駆動ベルト、１１は払拭ローラ、１１ａはギヤ、１２は吸水ローラ、１２ａはギヤ、１３は絞りローラ、１３ａはギヤ、１３ｂは小ギヤ、１４はモータ、１４ａは駆動ギヤ、１４ｂは駆動チェーン、１５は貯水タンク、１５ａは給水管、１５ｂはノズル、１５ｃはポンプ、１５ｄ，１５ｅは回収路、ｍはメダル、Ｗは洗浄水である。
【００１０】
実施例１では、ノズル１５ｂから回転盤１６の上面に少量の洗浄水Ｗを吐水する。洗浄水Ｗは回転盤１６の回転による遠心力でメダル排出路５ａ側へ飛び、その先の払拭ローラ１１を適度に湿らせる。図１に示すように、投入されたメダルｍは回転盤１６で水平の姿勢にしてメダル排出路５ａに送り出され、その後払拭ローラ１１で整列されたメダルｍを上下から押圧して摩擦と少量の洗浄水Ｗで表面の油脂や微細なゴミを拭うように清掃し、さらに吸水ローラ１２で未だ付着している水滴を吸水し、メダル排出口７から排出される。
【００１１】
筒体５の側部にはメダル排出路５ａを形成するとともに排水孔５ｂを底面に開口し、メダル搬送路６の途中位置に上下一対の払拭ローラ１１と吸水ローラ１２を搬送方向に沿って設け、払拭ローラ１１と吸水ローラ１２の下方に絞りローラ１３を押し当てた状態に設け、貯水タンク１５に洗浄水Ｗを貯水し、給水管１５ａを垂直に配管してノズル１５ｂをメダル投入口２に設け、貯水タンク１５の洗浄水Ｗを給水管１５ａへ送り出すポンプ１５ｃを取り付け、絞りローラ１３から落下する洗浄水Ｗと筒体５の排水孔５ｂから排水された洗浄水Ｗを貯水タンク１５に回収する回収路１５ｄ，１５ｅを設け、貯水タンク１５の洗浄水Ｗをメダルｍの非投入時にノズル１５ｂから吐水するようにポンプ１５ｃを作動させる図示しないコントローラ（制御手段）を設けている。
【００１２】
払拭ローラ１１と吸水ローラ１２と絞りローラ１３の軸端にはギヤ１１ａ，１２ａ，１３ａと小ギヤ１３ｂを取り付けるとともにギヤ１１ａ，１２ａ，１３ａ同士を歯合し、小ギヤ１３ｂとモータ１４の駆動ギヤ１４ａとの間に駆動チェーン１４ｂを掛架している。払拭ローラ１１と吸水ローラ１２は連続気泡を備えたスポンジで構成し、絞りローラ１３は硬質のプラスチックで構成し、洗浄水Ｗは水を使用している。なお、吸水ローラ１２はメダル搬送路６に沿って複数組設けてもよい。
【００１３】
実施例１では、図２に示すようにモータ９，１４を作動させて払拭ローラ１１と吸水ローラ１２と絞りローラ１３を回転させ、貯水タンク１５の洗浄水Ｗを給水管１５ａを通じてポンプ１５ｃで送り出し、ノズル１５ｂからメダル投入口２を通じて回転盤１６の上面に少量を吐水する。洗浄水Ｗは回転盤１６の回転による遠心力でメダル排出路５ａ側へ飛び、その先の払拭ローラ１１を適度に湿らせる。余剰の洗浄水Ｗは筒体５の底面に落下して排水孔５ｂから回収路１５ｅを通じて貯水タンク１５に回収される。なお、上下の払拭ローラ１１のローラ面が湿るまである程度時間を要するから、清掃開始まで１分ほど連続的に吐水して空運転し、清掃開始後はメダルｍの非投入時に（１回／時間を１分間）吐水するように切り替える。
【００１４】
排出されたメダルｍの表面に洗浄水Ｗはほとんど残っておらず、その後は特に乾燥させることなく直に遊技機へ搬送できる。わずかに湿っている場合でも搬送中に早期に乾燥するから支障はない。除去された汚れは洗浄水Ｗを含んだ払拭ローラ１１に吸着され、メダルｍに付着することはない。吸水された洗浄水Ｗは絞りローラ１３で絞り出され、回収路１５ｄで貯水タンク１５に回収されて再利用される。
【産業上の利用可能性】
【００１５】
本発明のメダル清掃装置は、スロットマシン等の遊技に使用されるメダル又はそれに類似する形状の物品の清掃に利用される。
【図面の簡単な説明】
【００１６】
【図１】実施例１のメダル清掃装置の縦断面図である。
【図２】実施例１の払拭ローラの斜視図である。
【図３】従来のメダル洗浄研磨装置の縦断面図である。
【符号の説明】
【００１７】
１  メダル清掃装置
２  メダル投入口  
５  筒体
５ａ  メダル排出路
５ｂ  排水孔
６  メダル搬送路
７  メダル排出口
８  回転軸
８ａ  従動ローラ
９  モータ
９ａ  駆動ローラ
１０  駆動ベルト
１１  払拭ローラ
１１ａ  ギヤ
１２  吸水ローラ
１２ａ  ギヤ
１３  絞りローラ
１３ａ  ギヤ
１３ｂ  小ギヤ
１４  モータ
１４ａ  駆動ギヤ
１４ｂ  駆動チェーン
１５  貯水タンク
１５ａ  給水管
１５ｂ  ノズル
１５ｃ  ポンプ
１５ｄ，１５ｅ  回収路
１６  回転盤
２１  メダル投入口
２２  ブラシ盤
２３  モータ
２４  メダル排出口
２５  貯水タンク
２６  ポンプ
ｍ  メダル
Ｗ  洗浄水
【図１】
0004485491.tif 000002
【図２】
0004485491.tif 000003
【図３】
0004485491.tif 000004